(57)【要約】【課題】  陰極線管を含むAV機器の製造ラインにおいて陰極線管の調整モード中に、カットオフレベルの設定のために、手間をかけることなく、廉価に、陰極線管を映像変調信号から遮断することである。【解決手段】  当該陰極線管に接続されている映像信号処理ICの入力ポートを無入力にするように、当該入力ポートへの映像信号ラインをローとする手段。【選択図】  図２
2005268915.tif 000002
【特許請求の範囲】
【請求項１】
カットオフレベル設定を行う陰極線管を映像変調信号から遮断するために、当該陰極線管に接続されている映像信号処理ICの入力ポートへの映像信号ラインを自動で無入力にする手段を含む、カットオフレベル設定のための陰極線管の映像変調信号遮断装置。
【請求項２】
カットオフレベル設定を行う陰極線管を映像変調信号から遮断するために、当該陰極線管に接続されている映像信号処理ICの入力ポートを無入力にするように、当該入力ポートへの映像信号ラインをローとする手段を含む、カットオフレベル設定のための陰極線管の映像変調信号遮断装置。
【請求項３】
カットオフレベル設定を行う陰極線管を映像変調信号から遮断するために、当該陰極線管に接続されている映像信号処理ICの入力ポートを無入力にするように、当該映像信号ICのビデオスイッチをAV映像ラインに切り替える手段を含む、カットオフレベル設定のための陰極線管の映像変調信号遮断装置。
【請求項４】
請求項１または請求項２または請求項３の陰極線管の映像変調信号遮断装置を備えたAV機器。
【発明の詳細な説明】
【技術分野】
【０００１】
この発明は、カットオフ設定のための陰極線管の映像変調信号遮断装置およびこれを有するAV機器に関する。
【背景技術】
【０００２】
テレビ受像機などの陰極線管を備えたAV機器の製造ラインにおいて、その陰極線管のカットオフレベル設定は、AV機器の調整モード中で行われる。製造ラインにおいて、図１に示すように、工程１００で、この調整モードを開始し、工程１０１で陰極線管のカットオフレベル設定を行うとき、工程１０２で示すように、陰極線管を映像変調信号からまったく遮断する必要がある。すなわち、製造ラインにおいて工程１０５に示すように陰極線管のホワイトバランス調整を行う前に、工程１０３おいて、陰極線管がまったくカットオフされるレベルをフライバックトランスフォーマー（FBT）のビーム駆動電流を調節して設定する作業が行われる。工程１０４のようにカットオフレベルの設定が終了されてから、上記の工程１０５のようなホワイトバランス調整に入る。その後、調整モードが工程１０６で示されるように終了される。
【０００３】
工程１０３は、陰極線管のスクリーン上でビームを水平線一本にして、目で見てRGBのいずれかの発光によりかすかに水平一線がかすかに見え始めるところを、カットオフレベルとしてフライバックトランスフォーマー（FBT）のビーム駆動電流のボリュームコントロール値を設定する。このため、映像信号が陰極線管にまったく入らない状態を確保する必要がある。映像信号が陰極線管に入力されると、RGBの発光が不均一になって、上記の水平一線の視認が難しくなるからである。
【０００４】
そこで、従来は、陰極線管を映像変調信号から遮断するために、そのAV機器がひとつのモードとしてAVモードを持っている場合は、そのAVモードに切り替えることによって、陰極線管を映像変調信号から遮断した。すなわち、AVモードに切り替えることによって、映像処理ICは外部端子にその入力ポートが接続されるので、映像変調信号入力ポートはローとなって映像処理ICに至らず、陰極線管は遮断される。
【０００５】
また、上述のようなAVモードを持たない陰極線管機器において、放送電波を受信するチューナーモードのままで、カットオフレベルの設定を行う場合、チューナーの中間周波数回路の自動利得回路の値を最低とすれば、映像処理ICの入力ポートがチューナーに接続したままでも、陰極線管に対して映像変調信号を遮断できる。
【０００６】
いずれの場合も、AV機器の調整モードに入りならが、カットオフレベル設定を行うために、AV機器のモードの変換やチューナー中間周波数回路の利得値の最低下という操作を別途行わなければならなかった。しかも、この後者の場合、チューナーの高度IC化が進み、中間周波数回路もICの中に組み込まれている場合が多くなり、このような仕方では、陰極線管を映像変調信号から遮断できず、別の方法を提案しなければならなかった。
【０００７】
いずれにせよ、どの場合も、著しく、製造ラインにおける調整モードの工程を手間取らせ、生産性向上の障害となっていた。
そのため、特許文献１に開示されているように、このカットオフレベルの設定工程自身を自動化する試みも行われているが、製造コストの上昇させる欠点がある。
【０００８】
【特許文献１】特開平９−１１６９３３号公報
【発明の開示】
【発明が解決しようとする課題】
【０００９】
そこで、この発明は、陰極線管を含むAV機器の製造ラインにおいて陰極線管の調整モード中に、カットオフレベルの設定のために、従来の技術のこのような欠点をなくし、手間をかけることなく、廉価に、陰極線管を映像変調信号から遮断することである。
【課題を解決するための手段】
【００１０】
この課題は、カットオフレベル設定を行う陰極線管を映像変調信号から遮断するために、当該陰極線管に接続されている映像信号処理ICの入力ポートへの映像信号ラインを自動で無入力にする手段を含む、カットオフレベル設定のための陰極線管の映像変調信号遮断装置によって、解決される。
【００１１】
また、この課題は、カットオフレベル設定を行う陰極線管を映像変調信号から遮断するために、当該陰極線管に接続されている映像信号処理ICの入力ポートを無入力にするように、当該入力ポートへの映像信号ラインをローとする手段を含む、カットオフレベル設定のための陰極線管の映像変調信号遮断装置によって、解決される。
【００１２】
また、この課題は、カットオフレベル設定を行う陰極線管を映像変調信号から遮断するために、当該陰極線管に接続されている映像信号処理ICの入力ポートを無入力にするように、当該映像信号ICのビデオスイッチをAV映像ラインに切り替える手段を含む、カットオフレベル設定のための陰極線管の映像変調信号遮断装置によって、解決される。
【発明の効果】
【００１３】
映像信号処理ICの入力ポートを自動で無入力にするので、陰極線管を含むAV機器の持つAVモードに、製造ライン上において調整モード中に、別途操作にて切り替えることなくなく、チューナーの中間周波数回路の利得を最低下することなく、カットオフレベル設定を行う陰極線管を映像変調信号から遮断することができる。
【発明を実施するための最良の形態】
【００１４】
以下、本発明の実施例を説明する。
【実施例１】
【００１５】
図２の実施例１は、マイクロコンピュータ２０１（以下マイコン）と外部不揮発性メモリー２０９、ならびに、マイコン２０１からの信号を受けて導通するスイッチ２１１，２１３を有する。カットオフレベル設定を行う図示しない陰極線管を含むAV機器は、この陰極線管に接続される映像信号処理IC２０５、AV映像信号端子２０７、及びチューナー２０３を含む。この映像信号処理IC２０５は、少なくとも映像信号を入力する三つの入力ポート２０５A、２０５B、２０５D、及びマイコン２０１と制御のための通信を行う制御ポート２０５Cを有する。
【００１６】
チューナー２０３は、映像信号処理IC２０５とRF映像信号ライン２０３Aを介して接続され、RF映像信号ライン２０３Aは映像信号処理IC２０５の入力ポート２０５Aに接続されている。
【００１７】
AV映像信号端子２０７は、映像信号処理IC２０５とAV映像信号ライン２０７Aを介して接続され、AV映像信号ライン２０７Aは映像信号処理IC２０５の入力ポート２０５Bに接続されている。
【００１８】
この外部不揮発性メモリー２０９は、ブラウン管とFBTの組み合わせに応じたRGB  カットオフ設定値を少なくとも蓄積している。外部不揮発性メモリー２０９とマイコン２０１はI２CBUSなどのシリアル通信で接続され、映像信号処理IC２０５とも制御ポート２０３Cにて接続されている。上記スイッチ２１１と２１３は、上記RF映像信号ライン２０３Aと上記AV映像信号ライン２０７Aとにそれぞれ接続されている。
【００１９】
この実施例１の構成において、図１でカットオフレベル設定開始の工程１０１において、マイコン２０１は、カットオフ制御信号をハイとして、スイッチ２１１と２１３を導通化させると、映像信号処理IC２０５の入力ポート２０５Aと２０５Bに接続されているRF映像信号ライン２０３AとAV映像信号ライン２０７Aをローとするので、映像信号処理IC２０５には、映像変調信号は到来しない。そのために、これに接続されある陰極線管は、映像変調信号からまったく遮断される。それゆえ、直ちに、自動的に、陰極線管の遮断の工程１０２がおこなわれ、直ちに、FBTボリュームの調節によるカットオフレベルの設定を実行できる。このとき、マイコン２０１は、工程１０３の実行の出発点となる、RGBカットオフ設定値を映像信号処理IC２０５に制御ポート２０５Cを介して送信する。これにより、マイコン２０１は、工程１０４以降の調整の設定値を映像信号処理IC２０５に制御ポート２０５Cを介して送信し、BRIGHT／CONTRASTなどの調整値を設定していくことが可能となる。
【実施例２】
【００２０】
図３は、この発明の実施例２が示されている。調整モードでカットオフレベルを設定される陰極線管を含むAV機器は、図２で示した実施例１で示すものと同一である。また、不揮発性メモリー２０９もマイコン２０１も同一である。ただし、実施例２では、外部のスイッチ素子を用いないで、マイコン２０１は、映像信号処理IC２０５の映像信号スイッチを切り替えるようにプログラムされている。すなわち、図１のカットオフレベル設定の開始工程１０１で、マイコン２０１は、チューナー２０３からのRF映像信号ライン２０３Aが接続している入力ポート２０５Aに結合しているビデオスイッチを動作させて、空いている映像信号の入力ポート２０５Dに切り替える。これによって、映像信号処理ICは、映像変調信号が無入力となり、したがって、陰極線管は遮断される。このようにして、実施例１と同様に、それゆえ、直ちに、自動的に、陰極線管の遮断の工程１０２がおこなわれ、直ちに、FBTボリュームの調節によるカットオフレベルの設定を実行できる。このとき、マイコン２０１は、工程１０３の実行の出発点となる、RGBカットオフ設定値を映像信号処理IC２０５に制御ポート２０５Cを介して送信する。これにより、マイコン２０１は、工程１０４以降の調整の設定値を映像信号処理IC２０５に制御ポート２０５Cを介して送信し、BRIGHT／CONTRASTなどの調整値を設定していくことが可能となる。
【００２１】
図４には、実施例２の変更例が示されている。実施例２においてマイコン２０１は映像信号処理IC２０５のビデオスイッチを空いている入力端子に切り替えているが、映像信号処理IC２０５に空いている入力端子がなくて、実施例２は実行できないことも考えられる。この変更例では、この欠点をなくするために、映像信号処理IC２０５の前段として、映像処理IC２０５のニューポート２０５Bに接続して、ビデオスイッチ３００を設ける。このビデオスイッチ３００の映像入力端子３００A、３００B、及び３００Dには、少なくともひとつ、たとえば、図示の変更例では、３００Aを空き端子としておく。このビデオスイッチ３００は、制御端子３００Cを有する。変更例は、マイコン２０１と外部不揮発性メモリー２０９とを有する。
【００２２】
調整モード中に、カットオフレベル設定開始の工程１０１において、この変更例では、マイコン２０１は、ビデオスイッチ３００を切り替えて、空き端子３００Aに映像信号処理IC２０５の入力端子２０５Bを接続させるようにプログラムされている。これにより、映像信号処理IC２０５に空いている端子が存在しない場合であっても、映像信号処理IC２０５に接続された陰極線管は映像変調信号から遮断されて、カットオフレベル設定のために、FBTボリュームの調節を行うことができる。このとき、マイコン２０１は、工程１０３の実行の出発点となる、RGBカットオフ設定値を映像信号処理IC２０５に制御ポート２０５Cを介して送信する。これにより、マイコン２０１は、工程１０４以降の調整の設定値を映像信号処理IC２０５に制御ポート２０５Cを介して送信し、BRIGHT／CONTRASTなどの調整値を設定していくことが可能となる。
【図面の簡単な説明】
【００２３】
【図１】この発明の装置が用いられる調整モードの工程のフローを示す。
【図２】この発明の実施例１の構成を示すブロック図である。
【図３】この発明の実施例２の構成を示すブロック図である。
【図４】この発明の実施例２の変更例の構成を示すブロック図である。
【符号の説明】
【００２４】
２０１  マイクロコンピュータ
２０９  外部不揮発性メモリー
２１１，２１３  スイッチ
２０５  映像信号処理IC
２０７  AV映像信号端子
２０３  チューナー
３００  ビデオスイッチ
【図１】
2005268915.tif 000003
【図２】
2005268915.tif 000004
【図３】
2005268915.tif 000005
【図４】
2005268915.tif 000006